(57)【要約】【課題】弁機構が収容されるカートリッジが水栓本体に装着されたシングルレバー式混合水栓において、カートリッジを水栓本体に固定するためのナットが容易に緩まないようにし、カートリッジの水栓本体への固定及び取り出しを容易に行なう。【解決手段】湯水の流量，温度等を調節するための弁機構４と、該弁機構４が収容されるカートリッジ３と、該カートリッジ３が装着される水栓本体２とを備え、前記カートリッジ３はナット６を水栓本体２へねじにより結合することで固定されるようにした混合水栓Ａにおいて、前記水栓本体２とナット６との間に緩み止め具７を装着した。【選択図】  図２
2004232253.tif 000002
【特許請求の範囲】
【請求項１】
湯水の流量，温度等を調節するための弁機構と、該弁機構が収容されるカートリッジと、該カートリッジが装着される水栓本体とを備え、前記カートリッジはナットを水栓本体へねじにより結合することで固定されるようにした混合水栓において、前記水栓本体とナットとの間に緩み止め具を装着したことを特徴とする混合水栓。
【請求項２】
前記ナットは内周面に係合歯を形成し、緩み止め具はナットの係合歯に係合する係合爪を形成し、緩み止め具をカートリッジに装着した後にナットを水栓本体に螺合することで、ナットは緩み方向への回転が規制されることを特徴とする請求項１記載の混合水栓。
【請求項３】
前記緩み止め具の係合爪は傾斜面が形成され、ナットは緩む方向への回転が規制されることを特徴とする請求項２記載の混合水栓。
【請求項４】
前記水栓本体は流し台や洗面台等のカウンターに固定されることを特徴とする請求項１乃至３の何れかに記載の混合水栓。
【発明の詳細な説明】
【０００１】
【発明の属する技術分野】
本発明は、湯水の流量，温度等の調節が行なわれる混合水栓において、弁機構が収容されるカートリッジがナットにより水栓本体へ固定される混合水栓に関する。
【０００２】
【従来の技術】
流し台や洗面台で使用される混合水栓として、レバーの操作で湯水の流量と温度の調節が行なわれるものが公知であるが、このような混合水栓は、セラミックスからなる固定板と可動板とを上下に重ね合わせた弁機構がレバーと連繋し、弁機構はカートリッジの内部に収容されている。このカートリッジは水栓本体に装着され、カートリッジの上部から水栓本体の上部に形成された雄ねじ部に、固定用のナットを螺合させることで固定される。（例えば、特許文献１参照）
【０００３】
【特許文献１】
実開平５−７３０５８号公報
【０００４】
【発明が解決しようとする課題】
このようにカートリッジを水栓本体に装着し、ナットを水栓本体に螺合することでカートリッジを固定するものでは、ナットが緩むと漏水が発生するので、ナットを強固に螺合するための工具が必要となるうえ、工具によりナットを何度も回転させる必要があり、施工に手間がかかる。また、工具を使用して強固に締結しないと、ナットは外力や振動により緩んでしまう。さらに、水栓本体が流し台や洗面台のカウンターに、該カウンターの下部から固定部材により固定された状態で、弁機構の点検や取替えを行なう場合に、カートリッジを水栓本体から取り出す必要があるが、ナットを水栓本体から外そうとすると、カウンターの上部でナットに加えた回転力により水栓本体が共回りしてしまう。従って、カウンターの下部から再度固定部材を螺合する必要があり、施工性が悪く、その解決策が望まれていた。
【０００５】
この発明は、このような従来の技術に存在する問題点に着目したものであり、その目的は、弁機構が収容されるカートリッジが水栓本体に装着されたシングルレバー式混合水栓において、カートリッジを水栓本体に固定するためのナットが容易に緩まないようにし、カートリッジの水栓本体への固定及び取り出しを容易に行なうことである。
【０００６】
【課題を解決するための手段】
本発明は請求項１では、湯水の流量，温度等を調節するための弁機構と、該弁機構が収容されるカートリッジと、該カートリッジが装着される水栓本体とを備え、前記カートリッジはナットを水栓本体へねじにより結合することで固定されるようにした混合水栓において、前記水栓本体とナットとの間に緩み止め具を装着したものである。
【０００７】
請求項２では、前記ナットは内周面に係合歯を形成し、緩み止め具はナットの係合歯に係合する係合爪を形成し、緩み止め具をカートリッジに装着した後にナットを水栓本体に螺合することで、ナットは緩み方向への回転が規制されるものである。
【０００８】
請求項３では、前記緩み止め具の係合爪は傾斜面が形成され、ナットは緩む方向への回転が規制されるものである。
【０００９】
請求項４では、前記水栓本体は流し台や洗面台等のカウンターに固定されるものである。
【００１０】
【発明の実施の形態】
以下、本発明の実施の形態を図に基づいて詳細に説明する。
図１及び図２に示すように、洗面台や流し台等のカウンター１に取り付けられる混合水栓Ａはシングルレバー式であり、略円筒状の水栓本体２と、該水栓本体２に固定され、湯水の流量及び温度が調節される弁機構４が収容されるカートリッジ３と、水栓本体２の外周面に外嵌され、弁機構４で調節された湯水が吐水される吐水管５と、前記カートリッジ３を水栓本体２に固定するためのナット６と、前記水栓本体２に螺合するナット６が容易に緩まないようにするための緩み止め具７とを備えている。
【００１１】
前記水栓本体２は略円筒状に形成され、下部底面には螺子軸８が固定されている。そして、水栓本体２をカウンター１に穿設された取付孔１ａの上部に配置した状態で、螺子軸８に対し下部から座金９を挿通し、固定部材１０を螺子軸８に螺着することで、水栓本体２と座金９とによりカウンター１を挟着し、混合水栓Ａはカウンター１に取り付けられるものである。また、水栓本体２の上端には前記カートリッジ３を装着するための支持部１１が形成され、さらに水栓本体２の上部外周面には雄ねじ１２が形成され、該雄ねじ１２には前記ナット６の内周面に形成された雌ねじ１３が螺合されるものである。
【００１２】
前記カートリッジ３は上ケース１４と下ケース１５とを備え、合成樹脂製である上ケース１４と下ケース１５とを上下に着脱自在に結合すると、カートリッジ３は略円筒状となり、両ケース１４，１５の内部には弁機構４が収容される。該弁機構４はセラミックス製で略円盤型の固定板１６と、該固定板１６と同一素材からなる可動板１７とを上下に水密に重ね合わせて構成され、該可動板１７の上部にはアーム１８が結合されている。
【００１３】
前記上ケース１４の上端には円盤型の筒部１４ａが一体に形成されており、該筒部１４ａは上ケース１４の外径より小径で、上ケース１４の上面で筒部１４ａとの間には段部１４ｂが形成されている。さらに、筒部１４ａの略中央には上下軸方向に軸孔１４ｃが穿設されており、前記アーム１８は軸孔１４ｃに挿通して筒部１４ａから上部に突出している。そして、段部１４ｂの外周面には互いに向かい合わせて一対の凹部１４ｄが形成されている。
【００１４】
前記吐水管５は、水栓本体２の外周面に回転自在に外嵌される円筒部１９と、該円筒部１９から上部傾斜方向に延設された吐水部２０とを備えており、該吐水部２０の先端には湯水を外部へ吐水するための吐水口２１を備えている。
【００１５】
前記弁機構４の可動板１７と結合したアーム１８は、他端にレバー２２が結合し、レバー２２を上下に操作することで、アーム１８を介して可動板１７は前後に移動し、吐水管５の吐水口２１から吐水される湯水の吐水と止水及び流量調節が行なわれ、レバー２２を左右へ操作することで、アーム１８を介して可動板１６は左右に回転し、湯水の温度が調節されるものである。
【００１６】
前記ナット６は内周面下部に雌ねじ１３が形成され、該雌ねじ１３は水栓本体２の上部外周面に形成された雄ねじ１２に螺合させることで、カートリッジ３を水栓本体２に固定させることができる。また、ナット６の上部内周面の円周方向には、同一形状の係合歯２３が連続して多数形成されている。
【００１７】
前記緩み止め具７は、図２に示すようにカートリッジ３の段部１４ｂに配置させることができるものである。この緩み止め具７は略リング状に形成され、中央にはカートリッジ３の筒部１４ａに挿通する開口孔２４が穿設され、外周面には互いに向かい合う一対の凸部２５と一対の係合部２６とが等間隔で形成されている。前記凸部２５はカートリッジ３の上ケース１４に形成された凹部１４ｄに嵌合させることにより、緩み止め具７をカートリッジ３に対し回転しないように固定させることができる。
【００１８】
図３及び図４に示すように、前記緩み止め具７は係合部２６の外周面に、前記ナット６の係合歯２３と係合する形状の傾斜爪２６ａが多数形成されている。各傾斜爪２６ａは、各傾斜爪２６ａの間に形成される溝部２６ｂと、時計の針の回転方向に向かうにつれて大径となる傾斜面２６ｃとが形成されているため、ナット６を水栓本体２の雄ねじ１２に対し螺合方向に回転させる場合（図４中のＰ方向）は、緩み止め具７はカートリッジ３に回転しないように固定されているので、ナット６の係合歯２３は溝部２６ｂに係合した状態から傾斜面２６ｃに速やかに移動し、係合部２６はナット６の回転時の抵抗とならない。次に、ナット６を緩める方向（図４中のＱ方向）に回転させる場合は、ナット６の係合歯２３は溝部２６ｂに係合した状態から傾斜面２６ｃへ移動することができず、回転させることができないように形成されているため、緩み止め具７がカートリッジ３の上ケース１４に係合している状態でナット６を緩む方向（図４中のＰ方向）に回転させようとする力を加えても、ナット６は回転が規制され緩むことがないラチェット機構としたものである。
【００１９】
このような混合水栓Ａにおいて、カートリッジ３を水栓本体２に装着するには、まずカートリッジ３を水栓本体２の支持部１１に配置する。
【００２０】
次に緩み止め具７の凸部２５を、カートリッジ３の上ケース１４に形成された凹部１４ｄに係合することで、緩み止め具７をカートリッジ３に回転しないように固定する。
【００２１】
そして、図１及び図５に示すように、ナット６の雌ねじ１３を水栓本体２の雄ねじ１２に螺合させる。この場合、ナット６の係合歯２３は緩み止め具７の溝部２６ｂに係合した状態から傾斜面２６ｃに速やかに移動するため、係合部２６はナット６の回転時の抵抗とならない。また、混合水栓Ａは振動等によりナット６が緩む方向に作用する場合があるが、ナット６の係合歯２３は緩み止め具７の溝部２６ｂに係合した状態から傾斜面２６ｃへ移動することができず、緩み方向への回転が規制されるためナット６は緩むことがない。
【００２２】
次に弁機構４の点検又は交換等を行なうため、水栓本体２からカートリッジ３を取り出すには、まず緩み止め具７はカートリッジ３への嵌合状態を解除する必要があるが、ナット６が水栓本体２に螺合した状態で、図６に示すように、緩み止め具７を上方に引き上げる。すると、緩み止め具７の係合部２６はナット６の係合歯２３と係合した状態で、緩み止め具７の凸部２５とカートリッジ３の上ケース１４の凹部１４ｄとの嵌合が解除され、緩み止め具７はカートリッジ３に対し回転可能となる。そして、ナット６を緩む方向に回転させれば、緩み止め具７は凸部２５がナット６の係合歯２３と係合した状態でナット６と共に回転し、緩み止め具７及びカートリッジ３を水栓本体２から取り出すことができる。
【００２３】
以上のように、カートリッジを水栓本体に固定するためのナットは、緩み止め具により水栓本体から緩む方向への回転が規制され、振動等により発生するナットの緩みを確実に防止することができる。しかも、緩み止め具はカートリッジに固定した状態でナットを回転させれば、ナットの螺合により強固に結合され、ナットの螺合と緩み止め具の固定を同時に行なうことができ、作業性が良好である。また、ナットを螺合する場合に工具を使用しなくても緩むことがないので、作業性が良好であるうえ、カートリッジを水栓本体に固定したり取り外す際に、カウンターに固定された水栓本体に回転方向に強い力が加える必要がなく、水栓本体がナットと共に共回りして水栓本体のカウンターへの固定状態が緩むのを確実に防止することができる。
【００２４】
【発明の効果】
請求項１の発明によると、緩み止め具により混合水栓のナットは緩む方向の回転が規制され、ナットは工具等を使用しなくても容易に螺合させることができるうえ、振動等が発生しても緩むことがない。
【００２５】
請求項２の発明によると、ナットの水栓本体への螺合により、緩み止め具の固定を同時に行なうことができ、作業性が良好である。
【００２６】
請求項３の発明によると、緩み止め具はラチェット機構であるので、ナットの緩みを確実に防止することができる。
【００２７】
請求項４の発明によると、ナットは工具を使用しなくても水栓本体に螺合させることができ、水栓本体が流し台や洗面台等のカウンターに固定されていても、水栓本体がナットと共に共回りすることがない。
【図面の簡単な説明】
【図１】本発明の混合水栓をカウンターに取り付けた状態の側断面図である。
【図２】混合水栓の分解斜視図である。
【図３】緩み止め具の斜視図である。
【図４】ナットと緩み止め具の係合状態を示す説明図である。
【図５】図１の要部拡大断面図である。
【図６】水栓本体からカートリッジを取り出す際に、緩み止め具を上方に引き上げた状態の説明図である。
【符号の説明】
２                水栓本体
３                カートリッジ
６                ナット
７                緩み止め具
２３              係合歯
２６              係合部
２６ａ            傾斜爪
２６ｂ            溝部
２６ｃ            傾斜面
【図１】
2004232253.tif 000003
【図２】
2004232253.tif 000004
【図３】
2004232253.tif 000005
【図４】
2004232253.tif 000006
【図５】
2004232253.tif 000007
【図６】
2004232253.tif 000008